(57)【要約】【課題】衣類乾燥機能を備えた除湿機において、乾燥条件が異なっても使用者が設定したタイマー時限の乾燥運転で、衣類を適正に乾燥させる。【解決手段】運転初期において検知した周辺空気の温度と相対湿度とより（Ｓ１１）乾燥完了乾燥度Ｄｘと（Ｓ１２）、除湿機の初期パワーを設定する（Ｓ１３）。次にＤｘとタイマー設定時限に基づき乾燥スケジュールを設定する（Ｓ１４）。一定間隔で検知した周辺空気の温度と相対湿度とより、衣類の乾燥速度Ｔｔと、この乾燥速度Ｔｔを累積加算した加算累積値∫Ｔｔを求め（Ｓ１５〜Ｓ１９）、この加算累積値∫Ｔｔを所定時間毎に乾燥スケジュールと比較し（Ｓ２１）、比較両者の差に応じて、除湿機の除湿能力を増減し（Ｓ２２）、乾燥スケジュールに沿った乾燥運転を実行する。【選択図】図８
2009112558.tif 000002
【特許請求の範囲】
【請求項１】
本体内に設けた空気を除湿する除湿手段および空気を送風する送風手段と、前記除湿手段および前記送風手段の運転制御を行う制御部と、周辺空気の湿度を検出する湿度センサと、周辺空気の温度を検出する温度センサおよび前記制御部内に設けたタイマーとを備え、前記制御部は、衣類乾燥運転開始時に、周辺空気の温度と相対湿度とから、乾燥完了の所定値を設定すると共に、使用者が設定した前記タイマーの設定時限に基づく乾燥スケジュールを作成し、一定期間毎に求めた周辺空気の温度と相対湿度に基づいて衣類の乾燥速度を算出し、前記乾燥速度を一定期間ごとに加算累積し、前記加算累積値と前記の乾燥スケジュールとを比較して、前記加算累積値が前記乾燥スケジュールに沿うよう除湿機の除湿能力を制御して、衣類乾燥運転がタイマー時限に達した時に、衣類の乾燥を終了するようにした除湿機。
【請求項２】
乾燥運転初期の除湿機の除湿能力が、前記乾燥完了の所定値と前記タイマーの設定時限に基づいて設定される請求項１記載の除湿機。
【請求項３】
加算累積値と乾燥スケジュールとの比較は、所定時間間隔で実施される請求項１記載の除湿機。
【請求項４】
除湿能力の制御は、前記加算累積値と前記の乾燥スケジュールとの偏差値に比例して実施される請求項１記載の除湿機。
【請求項５】
再生ファンと再生ヒータと除湿ロータと熱交換器を備えた除湿機であって、前記除湿能力の制御は、前記の再生ファンの回転数もしくは再生ヒータの付勢電力を制御することにより実施される請求項１記載の除湿機。
【請求項６】
補助ヒータを備え、前記除湿能力の制御は、送風手段の送風力、もしくは補助ヒータの付勢電力を制御することにより実施される請求項１記載の除湿機。
【請求項７】
除湿能力を使用者に告知する手段を備え、衣類乾燥運転中の除湿機の除湿能力を、視覚的な方法などにより使用者に告知することを特徴とする請求項１記載の除湿機。
【請求項８】
操作部に乾燥完了を優先する選択スイッチを備え、衣類乾燥運転がタイマー設定時限に通達した時点で乾燥が終了しない場合には、タイマー時限経過後も衣類乾燥運転を継続し、衣類の乾燥終了を検知した時点で衣類乾燥運転を終了させる請求項１記載の除湿機。
【請求項９】
ブザー等の告知手段を備え、タイマー設定時限経過後も衣類乾燥を継続したときは、ブザー等で使用者に告知する請求項８記載の除湿機。
【発明の詳細な説明】
【技術分野】
【０００１】
本発明は、室内に吊り下げた衣類を乾燥する機能を備えた除湿機であって、乾燥条件の差違にかかわらず、使用者が設定したタイマー時限に達した時に衣類の乾燥が適正に終了するようにした除湿機に関わる。
【背景技術】
【０００２】
従来、この種の衣類乾燥機能を備えた除湿機は、室内に吊り下げた衣類を乾燥させる場合に、除湿機に設けたタイマーの時限を使用者が設定することで、衣類乾燥運転を終了する方法が一般的であった。この方法は、室内の広さや衣類の量、及び室内の温度や湿度の条件により衣類の未乾燥（生乾き）や、過乾燥（乾き過ぎ）が発生する課題があった。
【０００３】
衣類の乾燥状態を直接検知して運転を停止する方法は、湿度センサを衣類に取り付けることで可能であるが、使用性が著しく低下するので実用上は困難である。
【０００４】
そこで、衣類の乾燥の度合いを間接的に検出して乾燥運転を終了させる方法として特許文献１に示す方法が提案されている。
【０００５】
特許文献１について図９を用いて説明する。
【０００６】
この特許の乾燥の度合いを検知する方式は、衣類近傍空気の絶対湿度と周辺空気の絶対湿度の差が大きくなると、衣類内水分の周辺空気への移行速度が大きくなる現象をふまえたものである。
【０００７】
従って、除湿機は、周辺空気の温度と相対湿度を検知するセンサを備え、このセンサの信号を、マイクロコンピュータ（以下単にマイコン）を搭載した制御部（いずれも図示していない）内で処理して乾燥完了を検知する方式である。
【０００８】
図９に示すように、衣類乾燥運転がスタートした直後のＳ（ステップ）１０１において、周辺空気の温度Ｔｒと湿度Ｈｒが計測される。次に、この情報に基づいて、Ｓ１０２で乾燥完了乾燥度Ｄｘが設定される。このＤｘ値は、周辺空気の温度と相対湿度とによって規定される値であって、実験的に求め、前記のマイコン内に、テーブルとして収納されている。
【０００９】
次にＳ１０３において、前記温度と湿度の測定間隔（１分）が設定され、以降は、一定間隔毎に検知した周辺空気の温度と相対湿度（Ｓ１０５）とに基づいて、次の処理が実施される。
【００１０】
まず、Ｓ１０６では、周辺空気の全熱量Ｉｒと絶対湿度Ｘｒを求める。次にＳ１０７で、全熱量Ｉｒから衣類近傍空気の絶対湿度Ｘｃを推定する（この場合衣類近傍空気の相対湿度は１００％として推定する）。
【００１１】
次にＳ１０８で、求めた衣類近傍空気の絶対湿度Ｘｃと周辺空気の絶対湿度Ｘｒとの差に係数αを乗じた乾燥速度Ｔｔ（＝α（Ｘｃ−Ｘｒ））を演算する。
【００１２】
この乾燥速度Ｔｔは、Ｓ１０９で、一定時間間隔（１分）で加算され、加算累積値∫Ｔｔが衣類の乾燥度でありマイコン内に記憶される。この累積値∫ＴｔがＳ１０２で設定した乾燥完了乾燥度Ｄｘ値に達した時点で衣類の乾燥が終了したと判断する（Ｓ１１０）。
【００１３】
以上述べたことを要約すれば、計測した周辺空気の温度と相対湿度とから、周辺空気の全熱量と絶対湿度を求め、求めた全熱量から衣類近傍空気の絶対湿度を推測し、前記２者の絶対湿度の差を乾燥速度して算出し、この乾燥速度を一定期間ごとに加算累積し、この加算累積値が所定値に達した時に衣類の乾燥が終了したと判断するものである。
【００１４】
この方式では、室内の環境条件や広さおよび衣類の量などに関わらず精度よく衣類の乾燥を検知でき、無駄な電力消費を抑制できる。
【特許文献１】特開２００３−４２５１２号公報
【発明の開示】
【発明が解決しようとする課題】
【００１５】
このような特許文献１に示す方法は、衣類を適正に乾燥する利点がある反面、乾燥時間が、周辺空気の温湿度や、衣類の量、吊し方、部屋の広さなどの乾燥条件により、乾燥時間が異なり、場合によっては、使用者が希望する時間内（例えば４時間）に乾燥できない課題があった。
【００１６】
本発明は、このような従来の課題を解決するものであり、乾燥条件と使用者が設定したタイマー時限に応じて、除湿機の除湿能力を自動的に制御して、使用者が設定したタイマー時限で、衣類を適正に乾燥させる除湿機を提供することを目的としている。
【課題を解決するための手段】
【００１７】
本発明の除湿機は、上記目的を達成するために、衣類乾燥運転初期の除湿機の除湿能力を設定する段階と、周辺空気の温湿度と設定されたタイマー時限とから乾燥スケジュールを作成する段階と、特許文献１に示す衣類の乾燥度を検知する手段とを備え、所定時間毎に衣類の乾燥度を乾燥スケジュールと照合し、その偏差値に応じて除湿機の除湿能力を制御するようにしたものである。
【発明の効果】
【００１８】
本発明によれば、使用者が設定したタイマー時限で衣類を適正に乾燥できる除湿機を提供できる。
【発明を実施するための最良の形態】
【００１９】
本発明の請求項１記載の除湿機は、本体内に設けた除湿手段および送風手段と、除湿手段および送風手段の運転制御を行う制御部と、周辺空気の湿度を検出する湿度センサと、周辺空気の温度を検出する温度センサおよび制御部内に設けたタイマーとを備え、制御部は、衣類乾燥運転開始時に、周辺空気の温度と相対湿度とから、乾燥完了の所定値を設定すると共に、使用者が設定したタイマーの設定時限に基づく乾燥スケジュールを作成し、一定期間毎に求めた周辺空気の温度と相対湿度に基づいて衣類の乾燥速度を算出し、乾燥速度を一定期間ごとに加算累積し、加算累積値と乾燥スケジュールとを比較して、加算累積値が乾燥スケジュールに沿うよう除湿機の除湿能力を制御して、衣類乾燥運転がタイマー時限に達した時に、衣類の乾燥を終了するようにしたことを特徴としている。
【００２０】
このことにより、乾燥条件の差違にかかわらず、使用者が設定したタイマー時限に達した時に衣類の乾燥が適正に終了する。
【００２１】
本発明の請求項２記載の除湿機は、請求項１記載の除湿機において、乾燥運転初期の除湿機の除湿能力が乾燥完了の所定値とタイマーの設定時限に基づいて設定されることを特徴としている。
【００２２】
このことにより、乾燥条件に応じた適正な除湿能力で乾燥をスタートするので、乾燥の仕上がり精度が良くなる。
【００２３】
本発明の請求項３記載の除湿機は、請求項１記載の除湿機において、加算累積値と乾燥スケジュールとの比較は、所定時間間隔で実施されることを特徴としている。
【００２４】
このことにより、衣類乾燥度の測定精度が向上し、このため、乾燥の仕上がり度が正確になる。
【００２５】
本発明の請求項４記載の除湿機は、請求項１記載の除湿機において、除湿機の除湿能力の制御は、加算累積値と乾燥スケジュールとの偏差値に比例して実施されることを特徴としている。
【００２６】
このことにより、乾燥の仕上がりにバラツキが少ない。また、急激な制御の変化ながく騒音が発生しない。
【００２７】
本発明の請求項５記載の除湿機は、請求項１記載の除湿機において、除湿機の除湿装置は、再生ファンと再生ヒータと除湿ロータと熱交換器を備えた除湿機であって、除湿能力の制御は、再生ファンの回転数もしくは再生ヒータの付勢電力を制御することにより実施されることを特徴としている。
【００２８】
本発明の請求項６記載の除湿機は、請求項１記載の除湿機において、除湿機は補助ヒータを備え、除湿能力の制御は、送風手段の送風力、もしくは補助ヒータの付勢電力を制御することにより実施されることを特徴としている。
【００２９】
本発明の請求項７記載の除湿機は、請求項１記載の除湿機において、除湿機は除湿能力を使用者に告知する手段を備え、衣類乾燥運転中の除湿機の除湿能力を、視覚的な方法などにより使用者に告知することを特徴としている。
【００３０】
このことにより、使用者は、衣類が乾きにくい状況であることを知って、吊し方の工夫をすることができる。また、省エネルギーを啓蒙できる。
【００３１】
本発明の請求項８記載の除湿機は、請求項１記載の除湿機において、制御部は、その操作部に乾燥完了を優先する選択スイッチを備え、衣類乾燥運転がタイマー設定時限に到達した時点で乾燥が終了しない場合には、タイマー時限経過後も衣類乾燥運転を継続し、衣類の乾燥終了を検知した時点で衣類乾燥運転を終了させることを特徴としている。
【００３２】
このことにより、極端に広い部屋で使用した場合に衣類を完全に乾燥できる。
【００３３】
本発明の請求項９記載の除湿機は、請求項８記載の除湿機において、ブザー等の告知手段を備え、タイマー設定時限経過後も衣類乾燥を継続したときはブザー等で使用者に告知することを特徴としている。
【００３４】
このことにより、使用者が吊し方の工夫ができ省エネルギーを啓蒙できる。
【００３５】
以下、本発明の実施の形態について図を参照しながら説明する。
【００３６】
（実施の形態１）
以下、本発明の実施の形態１について図１〜図８を参照しながら説明する。なお、分かり易くするために数字を記して説明するが、本発明は、この数字には拘束されない。まず図１を用いて除湿機の構造を、図２用いて電気的な構成を、図３を用いて操作表示部８の外観を説明する。
【００３７】
図１に示すように、除湿機は、本体１内に設けた除湿装置２と、送風機３と、補助ヒータ４と、制御部５に接続された温度センサ６と、湿度センサ７と、操作表示部８とで構成される。
【００３８】
除湿装置２は、再生ヒータ２２により加熱された空気を除湿ロータ２３に送風する再生ファン２１と、除湿ロータ２３を加熱する再生ヒータ２２と、回動する除湿手段としての除湿ロータ２３と、熱交換器２４および水タンク２５とで構成されている。
【００３９】
送風機３の駆動により、室内から吸い込まれた空気は熱交換器２４を冷却させた後に除湿ロータ２３で吸湿され、除湿された空気が再び室内に放出されて室内の空気が除湿される。なお、通常の運転では補助ヒータ４は駆動されない。
【００４０】
除湿手段としての除湿ロータ２３で吸湿された水分は、除湿ロータ２３の他方において再生ヒータ２２で加熱された温風により、蒸発し、熱交換器２４で冷却され、水分として凝縮して水タンク２５に貯水される。
【００４１】
従って、後述する除湿機の除湿能力は、再生ファン２１の送風力（ファン回転数）を高めることと、再生ヒータ２２の付勢電力を高めること、送風機３の送風力（ファン回転数）を高めること、および補助ヒータ４を駆動することにより高めることができる。
【００４２】
図２に示すように、制御部５は、マイクロコンピュータであるμ−ＣＰＵ５１を核とする構成である。
【００４３】
このμ−ＣＰＵ５１に、除湿装置２、送風機３，補助ヒータ４がそれぞれの制御手段である除湿制御手段９、送風制御手段１０、ヒータ制御手段１１を介して接続されるとともに、室内温度（衣類の周辺空気の温度）を検知する温度センサ６、室内の相対湿度（衣類の周辺空気の湿度）を検知する湿度センサ７、衣類乾燥運転のスタートを操作するためのスイッチやタイマー設定のスイッチ、運転状態を表示する操作表示部８が接続されている。
【００４４】
ここで、除湿制御手段９は、例えば、再生ファン２１を駆動するためのモータの巻き線タップ（図示しない）を切り替えるためのリレー（電磁継電器）や再生ヒータ２２のタップ（図示しない）を切り替えるためのリレーであり、送風制御手段１０は、例えば、送風機３を駆動するためのモータの巻き線タップ（図示しない）を切り替えるためのリレーである。また、ヒータ制御手段１１は、例えば、補助ヒータ４のタップ（図示しない）を切り替えるためのリレーである。
【００４５】
また、μ−ＣＰＵ５１の内部は、空気線図５２と、乾燥完了乾燥度であるＤｘテーブル５３（運転初期の室内温度と相対湿度に関連した実験結果に基づく常数テーブル）と、乾燥条件算出手段５４と、乾燥速度算出手段５５と、乾燥度算出手段５６と、乾燥度判定手段５７および乾燥スケジュール設定手段５８を内蔵している。
【００４６】
μ−ＣＰＵ５１は、前述の内蔵している要部が、温度センサ６、湿度センサ７、操作表示部８の情報に基づいて機能し、除湿装置２、送風機３，補助ヒータ４を制御する。
【００４７】
図３に示すように操作表示部８は、使用者がタイマー時刻を設定するスイッチ８１と、設定された時刻を表示するランプ８２と、乾燥優先を指定する乾燥優先スイッチ８３と、このスイッチが選択されたことを表示するランプ８４と、衣類乾燥運転のスタートを開始するスイッチ８５と、衣類乾燥運転中を表示するランプ８６および、除湿機の除湿能力を表示する１０個のランプ列で構成された除湿能力表示灯８７で構成されている。
【００４８】
ここで、乾燥優先スイッチ８３は、除湿機の除湿能力を最大限に発揮しても、衣類が十分に乾燥できない場合に（部屋が広く、多湿状態で、衣類の量が多い場合）、タイマー時限超過後にも乾燥運転を継続し、衣類が十分に乾燥した状態で運転を停止させる場合に用いるスイッチである。
【００４９】
図の状態は、タイマー時限が８時間に設定され、乾燥優先の状態で乾燥運転が実行され、除湿機の除湿能力が３０％であることを示している。
【００５０】
次に、図４〜図７を用いて、制御の要部を説明し、図８を用いて一連の制御動作を説明する。
【００５１】
図４は、乾燥スケジュールを示す図である。縦軸は、乾燥完了乾燥度Ｄｘを最大値とした衣類の乾燥度を示している。この乾燥完了乾燥度Ｄｘの値は、運転初期の周辺空気の温度と相対湿度に関係する値で、図２のＤｘテーブル５３からマイコンであるμ−ＣＰＵ５１が選択する。例えば、乾燥完了乾燥度Ｄｘは、７５００（２０℃、７０％）である。
【００５２】
特性Ａはタイマー設定４時間の場合の、特性Ｂはタイマー設定６時間の場合の、特性Ｃはタイマー設定８時間の場合のそれぞれの乾燥スケジュールを示している。これらの乾燥スケジュールは、乾燥運転開始直後において、マイコンであるμ−ＣＰＵ５１がタイマー設定の時刻を読み取り、周辺空気の温度と相対湿度を検知したときに、乾燥スケジュール設定手段５８によって作成され、マイコンであるμ−ＣＰＵ５１内のメモリに記憶される。
【００５３】
詳細は後述するが、乾燥スケジュールは、タイマー設定時限を等間隔で分割（例えば１０分割）した時間毎に、実際の乾燥の進行度と対照され、その結果に基づいて、除湿機の除湿能力が制御される。
【００５４】
図５は、乾燥運転初期の除湿機の除湿能力を決定するための図である。特性、Ｄ、Ｅ、Ｆで示すように、乾燥運転初期の除湿機の除湿能力は、前述の乾燥完了乾燥度Ｄｘとタイマーの設定時限に基づいて設定される。Ｄｘ値が高い程（乾燥しにくい）、また、タイマーの設定時限が短い程、除湿能力を高くして乾燥運転がスタートする。この図５は、除湿機の能力に応じた実験値として、関数もしくはテーブルの形で乾燥スケジュール設定手段５８内に収納されている。
【００５５】
図６は、前述の乾燥スケジュールに沿うよう、除湿機の除湿の能力を増減させることを説明する図である。図６（ａ）は、乾燥スケジュールと実際の衣類の乾燥度との差（偏差値）と、除湿の能力の増減の関係を、特性Ｇで表している。乾燥スケジュール上の衣類の乾燥度に比べ、実際の衣類の乾燥度が低い場合（偏差値は＋側）は、除湿能力を偏差値の絶対値に応じで増加させ、その逆の場合は、除湿能力を減少させることを表している。
【００５６】
図６（ｂ）は、図６（ａ）の横軸（偏差値）に対応して、マイコンであるμ−ＣＰＵ５１が制御する除湿機の送風機３の送風力（特性Ｈ）と補助ヒータ４の付勢電力（特性Ｊ）の関係を示す図である。図のように、偏差値が小さい場合は、送風機の送風力のみが増減され、偏差値が大きくなると補助ヒータの付勢電力も増減させる。
【００５７】
図７は、除湿運転の一例を示す図で、乾燥運転の時間経過とともに、除湿能力が増加される状態を示している。
【００５８】
図７（ａ）は、乾燥運転のスケジュール（特性Ｋ）と実際の乾燥の進行度（特性Ｌ）を示す図である。横軸の乾燥時間は、タイマー設定の時限Ｔを基準に正規化して表現している。
【００５９】
図７（ｂ）は、図７（ａ）の横軸に従って、除湿能力が漸次修正（増加）される状態を示している。
【００６０】
すなわち、乾燥運転のスケジュールと実際の乾燥の進行との照合は、タイマーで設定された時限を１０分割した時間毎に実施され、運転開始後０．１Ｔ経過時での偏差値ΔＤ１、同じく０．２Ｔ経過時での偏差値ΔＤ２、同じく０．３Ｔ経過時の偏差値ΔＤ３に、それぞれ応じて（偏差値に比例して）、図５で説明した初期の除湿能力Ｐ０が、順次Ｐ１、Ｐ２、Ｐ３に増加されて、０．４Ｔ経過時以降は、衣類の乾燥度が乾燥スケジュールに一致し、タイマー時限Ｔの運転時間後に所定の乾燥が終了することを示している。
【００６１】
なお、この図は、除湿機が設置される部屋が広く、あるいは衣類の量が多いなど悪い乾燥条件の場合を表しているが、逆に部屋が狭く、あるいは衣類の量が少ないなどの乾燥条件が良い場合には、図６で説明したように、初期の除湿能力Ｐ０を減少させることになるが、図７での説明は省略する。
【００６２】
次に、図１〜図３を参照しながら、図４〜図７を用い、図８のステップ（Ｓ）に従って一連の動作について説明する。
【００６３】
この一連の動作は、制御部５のマイコンであるμ−ＣＰＵ５１が前述の構成要部を駆動して実施される。
【００６４】
図８は、使用者が操作表示部８のタイマー設定を８時間に設定して、衣類乾燥運転のスタートスイッチ８５を押した時点から、衣類乾燥運転が自動的に終了するまでの動作を示すフローチャートである。
【００６５】
Ｓ１１において、温度センサ６と湿度センサ７が周辺空気の温度Ｔｒと湿度Ｈｒを検知する。次にＳ１２において、マイクロコンピュータ（以下マイコンと略記）であるμ−ＣＰＵ５１は、Ｄｘテーブル５３から検知したＴｒとＨｒに相当する乾燥完了乾燥度Ｄｘを抽出して設定する。
【００６６】
次にＳ１３において、図５で説明した除湿機の初期の除湿能力（初期パワー）が設定され、これに基づき除湿運転がスタートする。この時、操作表示部８の除湿能力表示灯８７が除湿能力を表示する。
【００６７】
続いてＳ１４において、図４で説明した乾燥スケジュールが、乾燥スケジュール設定手段５８によって作成される。
【００６８】
次のＳ１５〜Ｓ２０では、一定間隔（１分）で除湿機周辺空気の温度Ｔｒと湿度Ｈｒを検知して、この検知データに基づいてマイコンが、Ｓ１６以下の処理を実施する。
【００６９】
すなわち、Ｓ１６において、周辺空気の温度Ｔｒと湿度Ｈｒとから、周辺空気の全熱量Ｉｒと絶対湿度Ｘｒを求める。次にＳ１７において、周辺空気の全熱量Ｉｒと絶対湿度Ｘｒから乾燥条件算出手段５４が衣類近傍空気の絶対湿度Ｘｃを推定する（この場合衣類近傍空気の相対湿度は１００％として推定する）。
【００７０】
次にＳ１８において、乾燥速度算出手段５５が、衣類近傍空気の絶対湿度Ｘｃと周辺空気の絶対湿度Ｘｒとの差に係数αを乗じた乾燥速度Ｔｔ（＝α（Ｘｃ−Ｘｒ））を演算する。
【００７１】
この乾燥速度Ｔｔは、Ｓ１９で乾燥度算出手段５６において加算累積され、累積値∫Ｔｔとしてマイコンであるμ−ＣＰＵ５１内のメモリに記憶される。
【００７２】
このＳ１５〜Ｓ１９の動作は、Ｓ２０で所定時間になるまで繰り返し実施される。
【００７３】
Ｓ２０で衣類乾燥運転のスタートから所定時間の４８分（タイマー設定の０．１倍）に達すると、Ｓ２１において、図７で説明したように、乾燥度比較手段５７によって、Ｓ１９の累積値∫ＴｔとＳ１４で設定された乾燥スケジュールが比較され、両者の差に応じて除湿機の能力が増減される（Ｓ２２）。
【００７４】
以上のＳ１５〜Ｓ２２の動作は、Ｓ２３のタイマー時限に運転時間が到達するまで繰り返し実施される。この場合、除湿機の除湿能力が変動するが、その都度、除湿能力表示灯８７が除湿能力を表示する。
【００７５】
Ｓ２３で、タイマー時限に到達すると、Ｓ２４において、乾燥優先スイッチ８３が押されているかをチェックし、押されていなければ（ＮＯ）、乾燥運転は終了する。
【００７６】
Ｓ２４において、乾燥優先スイッチ８３が押されている場合は、Ｓ２５において、除湿機を最大パワーで運転し、Ｓ２６において、ブザー等で使用者に告知する。
【００７７】
このことにより、使用者は、タイマー時限が超過しても、衣類が十分に乾燥できていないことを知ることができ、衣類の吊し方を工夫するなどして、以後の乾燥時間を短縮することができる。
【００７８】
次のＳ２７では、前述のＳ１５〜Ｓ１９のＴｔ加算動作を、Ｓ２８での加算値∫ＴｔがＳ１２において設定したＤｘ値になるまで繰り返し実施し、かつ、除湿機の最大パワー運転を継続し、∫ＴｔがＤｘ値に達した時点で（Ｓ２８）で乾燥運転が終了する。
【００７９】
以上説明したように本発明の除湿機は、衣類乾燥の運転初期において、周辺空気の温度と相対湿度とから、乾燥完了の所定値を設定し、この所定値と使用者が設定したタイマー時限とに基づいて、乾燥スケジュールを作成し、この乾燥スケジュールに従って、一定時間間隔で実際の衣類の乾燥度を比較し、比較の都度、比較した両者の偏差値に応じて除湿機の除湿能力を増加もしくは減少させて、衣類の乾燥が乾燥スケジュールに沿うようにしてタイマー時限の乾燥運転時間で衣類が適正に、確実に乾燥するようにしたものである。
【００８０】
このことにより、部屋が広い、部屋の湿度が高い、衣類の量が多いなどの乾燥条件が悪い場合にも、タイマーで設定した時間内に衣類を適正に乾燥させることができる。
【００８１】
なお、本実施の形態では除湿能力を調整する方法として、送風機３と補助ヒータ４とを制御することで説明したが、図１に示す除湿装置２の再生ファン２１や再生ヒータ２２を制御するようにしてもかまわない。
【産業上の利用可能性】
【００８２】
本発明の除湿機は、乾燥条件の変動にかかわらず、使用者が設定したタイマー時限で衣類を適正に乾燥できる除湿機を提供できるので、家庭用の除湿機に関わらず旅館など業務用の用途などにも適用できる。
【図面の簡単な説明】
【００８３】
【図１】本発明の実施の形態１の除湿機の構造を示す図
【図２】同電気的な構成を示す図
【図３】同操作表示部の外観を示す図
【図４】同乾燥スケジュールを説明するための図
【図５】同乾燥運転初期の除湿能力を説明ための図
【図６】同除湿能力の増減を説明するための図
【図７】同除湿運転の一例を示す図
【図８】同一連の動作を説明するためのフローチャート
【図９】従来例の乾燥終了検知の詳細を示すフローチャート
【符号の説明】
【００８４】
１    本体
２    除湿装置
３    送風機
４    補助ヒータ
５    制御部
６    温度センサ
７    湿度センサ
８    操作表示部
２１  再生ファン
２２  再生ヒータ
２３  除湿ロータ
２４  熱交換器
８１  スイッチ
８３  乾燥優先スイッチ
８７  除湿能力表示灯
【図１】
2009112558.tif 000003
【図２】
2009112558.tif 000004
【図３】
2009112558.tif 000005
【図４】
2009112558.tif 000006
【図５】
2009112558.tif 000007
【図６】
2009112558.tif 000008
【図７】
2009112558.tif 000009
【図８】
2009112558.tif 000010
【図９】
2009112558.tif 000011